【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
第１の通信回線を経由してインターネットに接続されており、無線ＬＡＮクライアント機能を有する第１の通信装置と、
無線ＬＡＮアクセスポイント機能を有し、第１の通信回線とは異なる第２の通信回線を経由してインターネットに接続されている第２の通信装置と、
インターネットに接続されており、前記第１の通信装置および前記第２の通信装置と接続可能なサーバ装置と、を備える無線通信システムであって、
前記第２の通信装置は、
前記無線ＬＡＮアクセスポイント機能による前記第１の通信装置への第１の無線通信により、前記第１の通信装置が前記第２の通信装置へ接続するための無線ＬＡＮ接続情報を含むセキュリティ情報を、前記第２の通信回線を経由して前記サーバ装置へ送信する第１の送信部、を備え、
前記サーバ装置は、
前記セキュリティ情報を保存する記憶部と、
インターネットを介して前記第１の通信装置へ前記無線ＬＡＮ接続情報を送信することができる第２の送信部と、を備える、無線通信システム。
【請求項２】
請求項１に記載の無線通信システムであって、
前記セキュリティ情報は、さらに、前記第２の通信装置の識別情報を含み、
前記第１の通信装置は、前記識別情報を、前記第１の通信回線を経由して前記サーバ装置に送信する第３の送信部、を備え、
前記第２の送信部は、前記記憶部に保存された識別情報と、前記第１の通信装置から受信した識別情報が合致する場合に、インターネットを介して前記第１の通信装置へ前記無線ＬＡＮ接続情報を送信する、無線通信システム。
【請求項３】
請求項２に記載の無線通信システムであって、
前記識別情報は、ペアリングトークンである、無線通信システム。
【請求項４】
請求項２または請求項３に記載の無線通信システムであって、さらに、
前記第２の通信装置は、前記無線ＬＡＮアクセスポイント機能による第２の無線通信により、前記識別情報を含むデータを前記第１の通信装置へ送信する第４の送信部、を備える、無線通信システム。
【請求項５】
請求項１から請求項４のいずれか１項に記載の無線通信システムであって、
前記第１の通信回線は、移動体通信回線である、無線通信システム。
【請求項６】
サーバ装置と接続されており、かつ第１の無線通信のための無線ＬＡＮ接続情報を他の通信装置との間で共有可能とする無線接続装置であって、
無線ＬＡＮアクセスポイント機能を実現するアクセスポイント部と、
前記サーバ装置へ前記無線ＬＡＮ接続情報を含むセキュリティ情報を送信する接続情報送信部と、
前記無線ＬＡＮ接続情報を使用して前記他の通信装置と前記第１の無線通信を開始する通信開始部と、を備える、無線接続装置。
【請求項７】
請求項６に記載の無線接続装置であって、
前記セキュリティ情報は、さらに、前記無線接続装置の識別情報を含み、
前記通信開始部は、前記サーバ装置に送信した識別情報と、前記他の通信装置が前記サーバ装置に送信した識別情報が合致する場合に、前記サーバ装置から前記他の通信装置に送信される前記無線ＬＡＮ接続情報を使用して前記他の通信装置と前記第１の無線通信を開始する、無線接続装置。
【請求項８】
請求項７に記載の無線接続装置であって、
前記識別情報は、ペアリングトークンである、無線接続装置。
【請求項９】
請求項８に記載の無線接続装置であって、さらに、
前記ペアリングトークンを生成する生成部、を備える、無線接続装置。
【請求項１０】
請求項７から請求項９のいずれか１項に記載の無線接続装置であって、さらに、
前記無線ＬＡＮアクセスポイント機能による第２の無線通信により、前記識別情報を含むデータを前記他の通信装置へ送信する識別情報送信部、を備える、無線接続装置。
【請求項１１】
第１の通信回線を経由してインターネットに接続されており、無線ＬＡＮクライアント機能を有する第１の通信装置と、
無線ＬＡＮアクセスポイント機能を有し、第１の通信回線とは異なる第２の通信回線を経由してインターネットに接続されている第２の通信装置と、
インターネットに接続されており、前記第１の通信装置および前記第２の通信装置と接続可能なサーバ装置と、を備える無線通信システムにおいて、前記無線ＬＡＮアクセスポイント機能による前記第１の通信装置への第１の無線通信により、前記第１の通信装置が前記第２の通信装置へ接続するための無線ＬＡＮ接続情報を、前記第１の通信装置と前記第２の通信装置との間で共有する方法であって、
（ａ）前記第２の通信装置が、前記第２の通信回線を経由して前記サーバ装置へ前記無線ＬＡＮ接続情報を含むセキュリティ情報を送信する工程と、
（ｂ）前記サーバ装置が前記セキュリティ情報を保存する工程と、
（ｃ）前記サーバ装置が、インターネットを介して前記第１の通信装置へ前記無線ＬＡＮ接続情報を送信する工程と、を備える方法。
【請求項１２】
請求項１１に記載の方法であって、
前記セキュリティ情報は、さらに、前記第２の通信装置の識別情報を含み、
さらに、
（ｄ）前記識別情報を、前記第１の通信装置が、前記第１の通信回線を経由して前記サーバ装置に送信する工程、を備え、
前記工程（ｃ）は、前記サーバ装置に保存された識別情報と、前記第１の通信装置から受信した識別情報が合致する場合に、前記サーバ装置が、インターネットを介して前記第１の通信装置へ前記無線ＬＡＮ接続情報を送信する工程である、方法。
【請求項１３】
請求項１２に記載の方法であって、
前記識別情報は、ペアリングトークンである、方法。
【請求項１４】
請求項１２または請求項１３に記載の方法であって、さらに、
（ｅ）前記第２の通信装置が、前記無線ＬＡＮアクセスポイント機能による第２の無線通信により、前記識別情報を含むデータを前記第１の通信装置へ送信する工程、を備える、方法。
【請求項１５】
請求項１１から請求項１４のいずれか１項に記載の方法であって、さらに、
（ｆ）前記サーバ装置が、前記第１の通信装置へ前記無線ＬＡＮ接続情報を送信した旨を前記第２の通信装置へ通知する工程と、
（ｇ）前記工程（ｆ）の前に、前記サーバ装置が前記無線ＬＡＮ接続情報を削除する工程と、を備える、方法。
【請求項１６】
請求項１４に従属する請求項１５に記載の方法であって、さらに、
（ｈ）前記第２の通信装置が、前記工程（ｆ）の通知に応じて、前記第２の無線通信を終了し、前記無線ＬＡＮ接続情報を使用して前記第１の通信装置と第１の無線通信を開始する工程、を備える、方法。
【請求項１７】
請求項１１から請求項１６のいずれか１項に記載の方法であって、さらに、
（ｉ）前記サーバ装置は、前記工程（ｂ）から一定時間経過した場合、前記無線ＬＡＮ接続情報を削除する工程、を備える、方法。
【請求項１８】
第１の通信回線を経由してインターネットに接続されており、無線ＬＡＮクライアント機能を有する通信装置において実行されるコンピュータプログラムであり、無線接続装置の無線ＬＡＮアクセスポイント機能による前記通信装置への第１の無線通信により、前記通信装置が前記無線接続装置へ接続するための無線ＬＡＮ接続情報を、前記通信装置が取得するためのコンピュータプログラムであって、
前記無線接続装置から、第２の無線通信により、前記無線接続装置の識別情報を受け取る機能と、
インターネットに接続されており、前記通信装置および前記無線接続装置と接続可能なサーバ装置に、前記第１の通信回線を経由して、前記識別情報を送信する機能と、
前記サーバ装置から、インターネットを介して前記無線ＬＡＮ接続情報を受け取る機能と、を備える、コンピュータプログラム。
【請求項１９】
請求項１８に記載のコンピュータプログラムであって、
前記識別情報は、ペアリングトークンである、コンピュータプログラム。
【請求項２０】
請求項１８または請求項１９に記載のコンピュータプログラムであって、
前記第１の通信回線は、移動体通信回線である、コンピュータプログラム。